(57)【特許請求の範囲】
【請求項１】
外向き面と内向き面との間に側面を備えた輪体からなる指輪であって、
前記外向き面から前記側面にかけて記号が刻設されており、該刻設された記号の上部を前記外向き面に、下部を前記側面に配置させるとともに、前記外向き面と前記側面との間の境界部と、該境界部に交差する前記記号の交差部とがなす鈍角は、前記外向き面側の方が前記側面側よりも小さいことを特徴とする指輪。
【請求項２】
前記記号の前記境界部に垂直な方向の長さの半分以上が前記外向き面に刻設されていることを特徴とする請求項１記載の指輪。
【請求項３】
前記輪体に刻設された記号が、複数の記号を横に並べた記号列を含んでおり、該記号列を構成する各記号の上部が前記外向き面に、下部が前記側面に配置されていることを特徴とする請求項１または請求項２に記載の指輪。
【請求項４】
前記外向き面に配置されている記号の上部と、前記側面に配置されている記号の下部とが、前記外向き面と前記側面との間の境界部で連結されていることを特徴とする請求項１乃至請求項３のいずれかに記載の指輪。
【請求項５】
前記外向き面に配置されている記号の上部が、前記側面と対向する位置に設けられている他の側面より離間するように刻設されていることを特徴とする請求項１乃至請求項４のいずれかに記載の指輪。
【請求項６】
前記記号が刻設されていない部分は、記号の表面よりも、算術平均高さＲａが小さいことを特徴とする請求項１乃至請求項５のいずれかに記載の指輪。
【請求項７】
前記記号が刻設されていない部分は、記号の表面よりも、算術平均高さＲａが大きいことを特徴とする請求項１乃至請求項５のいずれかに記載の指輪。
【発明の詳細な説明】
【技術分野】
【０００１】
本発明は、身装品としての指輪に関するものである。
【背景技術】
【０００２】
マリッジリングなどの記念性のある指輪には、文字等の記号を彫刻することが一般に行なわれている。また、この記号を目立たせ且つデザイン性を出すために、例えば記号を指輪の外向き面に彫刻することが行なわれているが、記号が目立ち過ぎることは、プライペートな内容の文字列等を彫刻した場合、他人に読み取られ易くなる。
【０００３】
例えば図１のように外向き面２から側面４にかけて記号６を刻設し、記号６の上部を外向き面２に、下部を側面４に配置させることで、指輪１を着けている使用者だけが、その記号６を容易に読み取ることができるようにすることなどが求められている（特許文献１参照）。
【特許文献１】特開２００４−８１３６７号公報
【発明の開示】
【発明が解決しようとする課題】
【０００４】
しかしながら、特許文献１の発明においては、指輪１を見る角度が深かったり浅かったりすることによって、指輪１の外向き面２における記号６の上部と、側面４における記号６の下部とで見る角度が異なり、記号６が折れ曲がって見える場合がある。そのため指輪１を着けている使用者でも、特に指輪１を浅い角度で眺める場合、記号６として認識するのが難しい場合がある。
【課題を解決するための手段】
【０００５】
本発明の指輪は、外向き面と内向き面との間に側面を備えた輪体からなる指輪であって、
前記外向き面から前記側面にかけて記号が刻設されており、該刻設された記号の上部を前記外向き面に、下部を前記側面に配置させるとともに、前記外向き面と前記側面との間の境界部と、該境界部に交差する前記記号の交差部とがなす鈍角は、前記外向き面側の方が前記側面側よりも小さいことを特徴とする。
【０００６】
さらに、本発明の指輪は、前記記号の前記境界部に垂直な方向の長さの半分以上が前記外向き面に刻設されていることを特徴とする。
【０００７】
さらに、本発明の指輪は、前記輪体に刻設された記号が、複数の記号を横に並べた記号列を含んでおり、該記号列を構成する各記号の上部が前記外向き面に、下部が前記側面に配置されていることを特徴とする。
【０００８】
さらに本発明の指輪は、前記外向き面に配置されている記号の上部と、前記側面に配置されている記号の下部とが、前記外向き面と前記側面との間の境界部で連結されていることを特徴とする。
【０００９】
さらに、本発明の指輪は、前記外向き面に配置されている記号の上部が、前記側面と対向する位置に設けられている他の側面より離間するように刻設されていることを特徴とする。
【００１０】
さらに、前記記号が刻設されていない部分は、記号の表面よりも、算術平均高さＲａが小さいことを特徴とする。
【００１１】
また、前記記号が刻設されていない部分は、記号の表面よりも、算術平均高さＲａが大きいことを特徴とする。
【発明の効果】
【００１２】
本発明の指輪によれば、指輪の記号を刻設した側面が使用者側に向くようにして着け、使用者が浅い角度でこの記号を眺める場合、記号が外向き面と側面との境界部で折れ曲がって歪んで見えてしまうことが低減できる。
【００１３】
また、他の人が異なる方向から指輪を見ても、記号が変形しているので読み取ることをより一層困難にすることができる。
【発明を実施するための最良の形態】
【００１４】
以下、本発明の一実施形態の指輪を詳細に説明する。
【００１５】
本発明の一実施形態の指輪によれば、外向き面と内向き面との間に側面を備えた輪体からなる指輪であって、前記外向き面から前記側面にかけて記号（ここで記号とは文字を含む）が刻設されており、該刻設された記号の上部を前記外向き面に、下部を前記側面に配置させるとともに、前記外向き面と前記側面との間の境界部と、該境界部に交差する前記記号の交差部とがなす鈍角は、前記外向き面側の方が前記側面側よりも小さいものである。
【００１６】
例えば本発明の一実施形態である図５において、指輪１は外向き面２と内向き面３との間に側面４を備えた輪体１からなり、面積の広い曲面状をなす外向き面２と面積の狭い略平面状をなす側面４とに連続して記号（１または複数の記号から成る記号列）６がＮＣ加工機やＹＡＧレーザーにより立体的に彫刻されている。図１と比較してわかるように、図５においては記号６（文字５を含む）が、境界部８で折れ曲がって見えるようなことが低減されている。
【００１７】
図２は本発明に係わる指輪の一実施形態に使用される記号を説明する展開図であって、側面４から見る場合の記号パターンであり、指輪１の使用者が最も見やすい角度に合わせて、鈍角ａを鈍角ｂよりも小さくしているものである。換言すると、鋭角ｄを鋭角ｃよりも小さくしているものである。具体的には、鈍角ａの大きさを１とすると鈍角ｂの大きさは１．１〜１．４倍程度にするのが適当である。なお、図３には他の記号での記号パターンを示す。
【００１８】
ここでこれらの角度の測定は図６に示されるように、記号６の交差部７における線幅の中心線９と、該中心線９と境界部８との交点１０における接線１１とがなす角度によって測定されるものとする。
【００１９】
なお、境界部８は、Ｒ面やＣ面などのように明確なエッジとして存在しない場合でも、肉眼で境界線として判断できれば足りるものとする。
【００２０】
これにより、使用者側に記号６を彫刻した側面が向くように指輪を着けた場合、使用者は最も見やすい角度で、その記号６を立体的且つ容易に読み取ることができる。これに対して、他の人が異なる方向から指輪１を見ても容易に記号６を読み取ることができず、何が彫刻されているか容易に判別できない。そして、鈍角ａを鈍角ｂよりも小さくすれば、他の人が異なる角度からみると歪んで見えるので、記号６として認識することを難しくさせる。したがって、記号６がたとえ記念日などプライベートな内容であっても、指輪１を着けている人だけが気兼ねなくその記号６を楽しむことができる。
【００２１】
なお、前記ＮＣ加工機による記号６の彫刻において、指輪１が曲面と平面を有している場合は、連続して加工することが困難であるので、加工面の異なる外向き面２と側面４とのそれぞれについて異なる加工プログラムで実施してもよい。ここで、外向き面２を曲面状とし、側面４を略平面状としてもよいが、逆に、外向き面２を平面状等とし、側面４を曲面状等とすることもでき、本発明の要旨を逸脱しない範囲で適宜変更し実施が可能である。そして、外向き面２と側面４との境界部８をバフ研磨しＲ面を形成することで、記号６を形成する際に境界部に発生する彫刻部分のバリを除去でき、そのバリが原因で衣服等を引っ掛けてしまうなどの不具合を防止することができる。
【００２２】
さらに、本発明の一実施形態の指輪によれば、前記記号の前記境界部に垂直な方向の長さの半分以上が前記外向き面に刻設されていることが好ましい。これは記号６を刻設する面積が外向き面２の方が広いので、記号６の配置が多様にできるからである。
【００２３】
さらに、本発明の一実施形態の指輪によれば、前記輪体に刻設された記号が、複数の記号を横に並べた記号列を含んでおり、該記号列を構成する各記号の上部が前記外向き面に、下部が前記側面に配置されていることが好ましい。
【００２４】
これは記号６が彫刻された側面４が使用者側になっていて、且つ、記号６が使用者の指の上に位置している場合が、使用者にとって最も視認性がよいからである。
【００２５】
さらに、本発明の一実施形態の指輪によれば、前記外向き面に配置されている記号の上部と、前記側面に配置されている記号の下部とが、前記外向き面と前記側面との間の境界部で連結されていてもよい。これにより、例えば図４のように、上部と下部それぞれの記号６の加工端部で発生するバリを境界部８で連結することで、相殺し低減することができる。
【００２６】
さらに、本発明の一実施形態の指輪によれば、前記外向き面に配置されている記号の上部が、前記側面と対向する位置に設けられている他の側面より離間するように刻設されていてもよい。これにより、記号６の全体像を一方向から把握することができる。
【００２７】
さらに、本発明の一実施形態の指輪によれば、前記記号が刻設されていない面は、記号の表面よりも、算術平均高さＲａが小さくなっていてもよい。これは、例えばＮＣ加工などで算術平均高さＲａの粗い記号６を刻設していく場合に好ましく、これにより、算術平均高さＲａの粗い記号６のコントラストを強調して、視認性を向上させることができる。
【００２８】
また、本発明の一実施形態の指輪によれば、前記記号が刻設されていない面は、記号の表面よりも、算術平均高さＲａが大きくなっていてもよい。これは、例えばＹＡＧレーザーなどで断続的なドットを刻設していく場合に好ましく、レーザーが表面で反射しないように、予め表面性状をブラストなどで粗くしてからレーザー加工することで、算術平均高さＲａの小さいドット状の記号６のコントラストを強調して、視認性を向上させることができる。
【図面の簡単な説明】
【００２９】
【図１】本発明に係わる指輪の従来例を説明する斜視図である。
【図２】本発明に係わる指輪の一実施形態に使用される記号を説明するものであり、記号Ａを側面４から見る場合のパターンの展開図である。
【図３】本発明に係わる指輪の一実施形態に使用される他の記号を説明するものであり、（ａ）は記号Ｋ、（ｂ）は記号Ｎ、（ｃ）は記号Ｖ、（ｄ）は記号Ｘを側面から見る場合のパターンの展開図である。
【図４】本発明に係わる指輪の一実施形態に使用される記号が、外向き面と側面との間の境界部で連結されている場合と、連結していない場合を説明する斜視図である。
【図５】本発明に係わる指輪の一実施形態を説明する斜視図である。
【図６】本発明に係わる指輪の一実施形態における記号と境界部との角度の測定方法を説明する模式図である。
【符号の説明】
【００３０】
１：指輪（輪体）
２：外向き面
３：内向き面
４：側面
５：記号（文字）
６：記号
７：交差部
８：境界部
９：中心線
１０：交点
１１：接線
ａ，ｂ：鈍角
ｃ、ｄ：鋭角
【図１】
0005173599.tif 000002
【図２】
0005173599.tif 000003
【図３】
0005173599.tif 000004
【図４】
0005173599.tif 000005
【図５】
0005173599.tif 000006
【図６】
0005173599.tif 000007